(57)【特許請求の範囲】
【請求項１】
近距離無線通信を行う第１通信手段と、マスストレージクラスのデータ通信を行う第２通信手段と、前記第１通信手段による通信と前記第２通信手段による通信とを切換える通信切換え手段と、を備える携帯無線端末装置において、
前記第２通信手段との間でデータ通信を行う外部機器の接続を検出する接続検出手段と、
前記第１通信手段の通信中に前記接続検出手段が前記外部機器の接続を検出した際に、前記第１通信手段による通信を継続するか、当該第１通信手段の通信を切断して前記第２通信手段による通信に切換えるかを選択させる選択画面を表示する表示手段と、
前記表示手段が前記選択画面を表示している際に、前記第１通信手段による通信を継続するか、前記第２通信手段による通信に切換えるかを選択する選択手段と、
前記選択手段による選択に基づいて前記通信切換え手段を制御する制御手段と、
を有することを特徴とする携帯無線端末装置。
【請求項２】
前記表示手段は、前記第１通信手段の接続中に前記接続検出手段が前記外部機器の接続を検出した際にその旨を表示することを特徴とする、請求項１記載の携帯無線端末装置。
【請求項３】
前記制御手段は、前記選択手段により前記第２通信手段による通信への切換えが選択されると、前記第１通信手段による通信が終了した後に、前記第２通信手段による通信に切換えることを特徴とする、請求項１または２に記載の携帯無線端末装置。
【発明の詳細な説明】
【技術分野】
【０００１】
本発明は、例えば、Ｂｌｕｅｔｏｏｔｈ（登録商標）等の近距離無線通信を行う第１通信手段と、ＵＳＢマスストレージクラス等によるデータ通信を行う第２通信手段とを有する携帯電話機やＰＤＡ（Ｐｅｒｓｏｎａｌ  Ｄｉｇｉｔａｌ  Ａｓｓｉｓｔａｎｔｓ）等の携帯無線端末装置に関するものである。
【背景技術】
【０００２】
近年、携帯電話機等の携帯無線端末装置は、本来の通話機能にとどまらず、携帯無線端末装置に接続する様々な外部機器と通信することで、多様な機能を有するようになっている。例えば、携帯無線端末装置とパソコン（ＰＣ）等とをケーブル等によって接続することで、本体に通信機能がないパソコンであっても、携帯無線端末装置を介してインターネットに接続したりすることが可能となっている。
【０００３】
特に最近では、携帯無線端末装置と外部機器とを接続するに際し、ケーブルを用いずに接続する近距離無線通信の技術が注目を集めている。例えば、赤外線を使用する通信であるＩｒＤＡや、２．４ＧＨｚ帯の無免許で使用可能な無線を使用するＢｌｕｅｔｏｏｔｈ（登録商標）等が知られている。
【０００４】
近距離無線通信技術のうち、特にＢｌｕｅｔｏｏｔｈ（登録商標）は、機器間の距離が１０ｍ以下であれば障害物があっても無線通信が可能であり、１台の親機（マスター）で複数台の子機（スレーブ）とデータ通信ができる。Ｂｌｕｅｔｏｏｔｈ（登録商標）による通信では、ＩｒＤＡとは異なり、通信時に各機器のポート同士の向きを合わせることも不要である。さらに、Ｂｌｕｅｔｏｏｔｈ（登録商標）の通信では小型のモジュールを使用するため、ＩｒＤＡに比べて消費電力が小さく、モジュールの製造コストも安価に抑えることができる。
【０００５】
しかしながら、携帯無線端末装置は、小型かつなるべく安価に構成することが有利であることから、内蔵する制御手段はなるべく簡潔な構成とすることが望まれる。このため、携帯無線端末装置が、Ｂｌｕｅｔｏｏｔｈ（登録商標）等による近距離無線通信を行っている最中は、ＵＳＢ等を用いたマスストレージクラスのデータ通信等を同時に行うことができないような構成となるのが一般的である。
【０００６】
例えば、安価な構成の電話機の子機を用いて、この子機の通話開始ボタンを押すと、ＦＡＸ機等の親機に対してＢｌｕｅｔｏｏｔｈ（登録商標）による音声通信が可能になり、また、さらにこの子機が、ＵＳＢによりＰＣと接続されたことを検知すると、この子機を介してＦＡＸ機等の親機とＰＣとのデータ通信が可能になるようにしたものが知られている（例えば、特許文献１参照）。
【０００７】
上記特許文献１に開示された電話機によると、電話機（子機）がＦＡＸ機（親機）と音声通話をしている際には、電話機（子機）に内蔵された制御手段が音声プロトコルを処理し、またこの電話機（子機）がＰＣと接続されてデータ通信を行う際には、ＰＣがプロトコルを制御する。そのため、電話機（子機）本体は、ＰＣとのデータ通信のための複雑なプロトコル制御を行う手段は必要なく、したがって電話機本体は簡単かつ安価な構成とすることが可能となる。
【０００８】
【特許文献１】特開２００３−１１０７２８号公報
【発明の開示】
【発明が解決しようとする課題】
【０００９】
しかしながら、上記特許文献１に開示の電話機においては、例えばＦＡＸ機（親機）との間でＢｌｕｅｔｏｏｔｈ（登録商標）による音声通信をしている最中に、この電話機がＰＣとＵＳＢ接続された場合には、ＵＳＢ接続が優先されるため、それまで行っていた電話機とＦＡＸ機とのデータ通信は途中であっても切断されて、電話機とＰＣとのデータ通信が開始されることになる。
【００１０】
特にＵＳＢ接続は、各端末の電源をオンにしたままで機器同士を接続することができるホットプラグを採用しているため、各端末機器の電源をオンにしたまま機器同士の接続を行うことが一般的であり、電話機（子機）がＵＳＢのＶｂｕｓ信号を検出することでＰＣの接続を認識する。したがって、前述の構成では、子機の電話機と親機（ＦＡＸ機等）とで音声通信すなわち通話等をしている最中に、この電話機とＰＣとをＵＳＢ接続すると、通話等の通信は途中であっても勝手に切断され、電話機を介したＰＣとのデータ通信が始まることになる。
【００１１】
さらに、上記の例のような、子機としての携帯無線端末装置をＰＣと接続する際にその携帯無線端末装置を中継機として親機との通信に使用するのではなく、ＰＣ等の外部機器と接続する際に、携帯無線端末装置に内蔵された処理手段等が当該ＰＣ等の外部機器と直接データ通信するような構成においても、同じような問題が生じる。
【００１２】
例えば、図５に概略を示す携帯無線端末装置２０においては、ＣＰＵ２１とＢｌｕｅｔｏｏｔｈ（登録商標）モジュール２２とがコマンドラインおよびデータラインを介して接続されている。また、それとは別に、中継制御回路２３を経由して、ＣＰＵ２１とＢｌｕｅｔｏｏｔｈ（登録商標）モジュール２２とがＵＳＢ接続されている。ＣＰＵ２１にて処理するデータは、これら２つのうちいずれかのラインにより、Ｂｌｕｅｔｏｏｔｈ（登録商標）モジュール２２およびアンテナ２４を経て、各種外部機器（不図示）と通信が行われる。この場合、高速データ通信を行うことを考慮すると、中継制御回路２３により制御するＵＳＢラインによるデータ通信が好適である。
【００１３】
しかしながら、中継制御回路２３を経由してＣＰＵ２１およびＢｌｕｅｔｏｏｔｈ（登録商標）モジュール２２を用いるＵＳＢラインによるデータ通信を行っている最中に、データＩ／Ｏ２５をインタフェースとして更なる外部機器であるＰＣ２６を接続すると、ＣＰＵ２１とＰＣ２６との間のデータ通信が行われることになり、ＣＰＵ２１およびＢｌｕｅｔｏｏｔｈ（登録商標）モジュール２２を用いるＵＳＢラインは切断される。ＣＰＵ２１およびＰＣ２６間のデータ通信を行っている最中は、ＣＰＵ２１は、Ｂｌｕｅｔｏｏｔｈ（登録商標）モジュール２２およびアンテナ２４を経て行われる外部機器との通信が不可能となる。この場合にも、もともと行われていたＢｌｕｅｔｏｏｔｈ（登録商標）による近距離無線通信は、途中であっても勝手に切断されることになる。
【００１４】
したがって、かかる点に鑑みてなされた本発明の目的は、Ｂｌｕｅｔｏｏｔｈ（登録商標）等による近距離無線通信中に、ＵＳＢマスストレージクラス等のデータ通信を行う外部機器が接続された場合に、近距離無線通信が不所望に中断されないようにした携帯無線端末装置を提供することにある。
【課題を解決するための手段】
【００１５】
上記目的を達成する請求項１に係る携帯無線端末装置の発明は、
近距離無線通信を行う第１通信手段と、マスストレージクラスのデータ通信を行う第２通信手段と、前記第１通信手段による通信と前記第２通信手段による通信とを切換える通信切換え手段と、を備える携帯無線端末装置において、
前記第２通信手段との間でデータ通信を行う外部機器の接続を検出する接続検出手段と、
前記第１通信手段の通信中に前記接続検出手段が前記外部機器の接続を検出した際に、前記第１通信手段による通信を継続するか、当該第１通信手段の通信を切断して前記第２通信手段による通信に切換えるかを選択させる選択画面を表示する表示手段と、
前記表示手段が前記選択画面を表示している際に、前記第１通信手段による通信を継続するか、前記第２通信手段による通信に切換えるかを選択する選択手段と、
前記選択手段による選択に基づいて前記通信切換え手段を制御する制御手段と、
を有することを特徴とするものである。
【００１６】
請求項２に係る発明は、請求項１記載の携帯無線端末装置において、前記表示手段は、前記第１通信手段の接続中に前記接続検出手段が前記外部機器の接続を検出した際にその旨を表示することを特徴とするものである。
【００１７】
請求項３に係る発明は、請求項１または２に記載の携帯無線端末装置において、
前記制御手段は、前記選択手段により前記第２通信手段による通信への切換えが選択されると、前記第１通信手段による通信が終了した後に、前記第２通信手段による通信に切換えることを特徴とするものである。
【発明の効果】
【００１８】
本発明によれば、Ｂｌｕｅｔｏｏｔｈ（登録商標）等の第１通信手段による通信中に、第２通信手段によりＵＳＢマスストレージクラス等によるデータ通信を行う外部機器が接続されると、表示手段に第１通信手段または第２通信手段の選択画面が表示され、その選択画面の表示に基づいて選択手段によりいずれか一方の通信手段が選択され、その選択結果に基づいて制御手段により通信切換え手段が制御されるので、もともと行っていた通信が不所望に中断されるという不便さを解消することができ、利便性を向上することができる。
【発明を実施するための最良の形態】
【００１９】
以下、本発明の実施の形態について、図を参照して説明する。
【００２０】
（第１実施の形態）
図１は、本発明の第１実施の形態に係る携帯無線端末装置の概略斜視図である。本実施の形態の携帯無線端末装置１０は、携帯電話の機能を有するものであり、表示手段８と、選択手段を構成する入力手段９とを備えている。表示手段８は、液晶ディスプレイや有機または無機ＥＬディスプレイ等により構成され、ユーザに知らせるべき様々な情報が表示される。入力手段９は、電話番号の入力の他、電子メールの文字やその他携帯無線端末装置の操作に係る様々な情報をユーザが入力するのに使用される。
【００２１】
図２は、図１に示す携帯無線端末装置の概略ブロック図である。
【００２２】
この携帯無線端末装置１０は、端末の全体を制御するＣＰＵ１と、各種外部機器（不図示）と近距離無線通信を行う第１通信手段であるＢｌｕｅｔｏｏｔｈ（登録商標）モジュール２と、このＢｌｕｅｔｏｏｔｈ（登録商標）モジュール２が外部機器と無線で通信するためのアンテナ４と、ＵＳＢラインを中継制御する中継制御回路３と、端末外部のＰＣ６を携帯無線端末装置１０にＵＳＢ接続するためのデータＩ／Ｏ５と、中継制御回路３によりデータＩ／Ｏ５のＶｂｕｓ信号の検出に基づいてＢｌｕｅｔｏｏｔｈ（登録商標）モジュール２からのＵＳＢラインとＰＣ６からのＵＳＢラインとのいずれか一方のラインを選択する通信切換え手段である切換スイッチ７と、を備えている。なお、ＣＰＵ１は、ＵＳＢマスストレージクラス等によるデータ通信を行う第２通信手段を有しており、中継制御回路３は、Ｖｂｕｓ信号の検出に基づいてＰＣ６の接続を検知する接続検出手段および切換えスイッチ７の切換えを制御する制御手段も構成している。
【００２３】
ＣＰＵ１とＢｌｕｅｔｏｏｔｈ（登録商標）モジュール２とはコマンドラインおよびデータラインを介して接続され、コマンドラインは、例えば、ＵＡＲＴの通信回路、Ｉ２Ｃバス、シリアル等からなっている。
【００２４】
しかしながら、情報技術の進展とともに、ますます大量のデータを短時間で転送することが必要となってきていることから、大量のデータを高速通信するためには、ＣＰＵからのデータラインとしては、ＵＳＢラインを使用するのが好適である。図２においては、ＰＣ６が接続されない状態では、中継制御回路３の制御により切換スイッチ７はポイントＡと接続されて、ＣＰＵ１とＢｌｕｅｔｏｏｔｈ（登録商標）モジュール２との接続が確立される。この場合、ＣＰＵ１の処理するデータは、ＵＳＢラインによりＢｌｕｅｔｏｏｔｈ（登録商標）モジュール２およびアンテナ４を経て各種外部機器（不図示）とデータ通信することが可能となっている。
【００２５】
以下、図３のフローチャートも参照して、本実施の形態の動作を説明する。まず、中継制御回路３にて、Ｖｂｕｓ信号を監視し（ステップＳ１１）、Ｖｂｕｓ信号が検出されない場合には、ステップＳ１２にて切換えスイッチ７はポイントＡとの接続を維持する。
【００２６】
携帯無線端末装置１０のデータＩ／Ｏ５に、外部のＰＣ６がＵＳＢ接続されて、中継制御回路３がＶｂｕｓ信号を検知したら、中継制御回路３は、既存の通信ラインとは別の新たなＵＳＢ接続が検知されたことをＣＰＵ１に伝達してステップＳ１３に移行する。
【００２７】
ステップＳ１３では、ＣＰＵ１の制御により、携帯無線端末装置１０の表示手段８上に、新たな外部機器とのＵＳＢ接続が検知されたことを表示する。
【００２８】
次にステップＳ１４で、Ｂｌｕｅｔｏｏｔｈ（登録商標）モジュール２がデータ通信を行っているか否かが判断される。Ｂｌｕｅｔｏｏｔｈ（登録商標）による通信が行われていない場合には、即座に通信ラインをＰＣ６とのＵＳＢラインに切換えても問題ないため、中継制御回路３の制御により切換えスイッチ７をポイントＡからポイントＢに切換えて、ＣＰＵ１とＰＣ６とのデータ通信を開始させる（ステップＳ１５）。
【００２９】
ステップＳ１４にて、Ｂｌｕｅｔｏｏｔｈ（登録商標）による通信がすでに行われている場合には、ステップＳ１６に移行し、表示手段８上に「現在Ｂｌｕｅｔｏｏｔｈ（登録商標）による通信中であり、通信ラインを切換えるとこの通信は切断される」旨のメッセージを表示する。
【００３０】
次にステップＳ１７では、新たに検知されたＵＳＢ接続に通信を切換えるか否かを表示手段８上に表示して、通信ラインの選択をユーザに促す。
【００３１】
ユーザが、元のＢｌｕｅｔｏｏｔｈ（登録商標）による通信が切断されることを望まず、新たに検知されたＵＳＢ接続に通信を切換えない選択が入力手段９により入力されたら、ステップＳ１８に移行して、切換えスイッチ７の接続をポイントＡに維持して、Ｂｌｕｅｔｏｏｔｈ（登録商標）による通信を継続する。
【００３２】
これに対し、ステップＳ１７にて、新たに検知されたＵＳＢ接続に通信を切換える選択が入力されたら、ステップＳ１９に移行して、Ｂｌｕｅｔｏｏｔｈ（登録商標）によるデータの転送停止処理を行い、ステップＳ２０にて中継制御回路３の制御により切換えスイッチ７をポイントＢに切換え、元のＢｌｕｅｔｏｏｔｈ（登録商標）による通信を切断する。そしてステップＳ２１にて、新たに検知されたＵＳＢ接続によるＰＣ６との通信を開始する。
【００３３】
なお、ステップＳ１７にて、選択画面のまま何も入力せずに放置した場合、Ｂｌｕｅｔｏｏｔｈ（登録商標）による通信が終了した後に自動的に通信ラインを切換え、ＣＰＵ１とＰＣ６とのデータ通信を開始させるようにしても良い。
【００３４】
さらに、ステップＳ１８では、ユーザの選択により、通信ラインを切換えずにＢｌｕｅｔｏｏｔｈ（登録商標）による通信が継続して行われるが、この場合において、Ｂｌｕｅｔｏｏｔｈ（登録商標）による通信が終了した場合、自動的に通信ラインが切換わるように設定することもできる。
【００３５】
本実施の形態によれば、Ｂｌｕｅｔｏｏｔｈ（登録商標）による通信中に、携帯無線端末装置にＰＣ等の外部機器をＵＳＢ接続した時に、現在行われている通信ラインを切断して新たに検知した通信ラインに切換えるかどうかをユーザが選択できるようにしたので、もともとのＢｌｕｅｔｏｏｔｈ（登録商標）による通信がユーザの意図に反して勝手に切断されるという不便さを解消することが可能となり、使い勝手を向上させることができる。
【００３６】
（第２実施の形態）
図４は、本発明の第２実施の形態に係る携帯無線端末装置の動作を説明するフローチャートである。
【００３７】
本実施の形態は、図３に示す第１実施の形態において、ステップＳ１７以降の処理が異なるものである。すなわち、第１実施の形態では、ステップＳ１７で通信ラインを切換えない選択をした場合には、ステップＳ１８で切換えスイッチ７の接続をポイントＡに維持したままとしたが、本実施の形態では、ステップＳ１７の後、さらにＢｌｕｅｔｏｏｔｈ（登録商標）による通信が完了した後にＰＣ６との通信を行うかどうかをユーザに選択させる（ステップＳ３１）。
【００３８】
ここで、ＰＣ６との通信を行わない選択がされたときは、ステップＳ１８で切換えスイッチ７の接続をポイントＡに維持したままとし、この場合にはＰＣ６との通信ラインへの切換えは自動的には行われない。一方、ＰＣ６との通信を実行する選択がされたときは、ステップＳ３２でＢｌｕｅｔｏｏｔｈ（登録商標）による通信が完了するのを待って、ステップＳ２０に移行する。
【００３９】
本実施の形態によれば、Ｂｌｕｅｔｏｏｔｈ（登録商標）による通信中は携帯無線端末装置にＰＣ等の外部機器をＵＳＢ接続した時でも現在の通信ラインを切断しないよう選択させた後、さらにＢｌｕｅｔｏｏｔｈ（登録商標）の通信が完了してから自動的に通信ラインを切換えるかどうかユーザに選択させるようにしたので、もともと行っていた通信がユーザの意図に反して切断されることがないという第１実施の形態の効果に加えて、ユーザが以後の通信ラインの切換えを行う際の利便性を著しく向上することができる。
【００４０】
なお、本発明は、上述した実施の形態にのみ限定されるものではなく、幾多の変更または変形が可能である。例えば、上記実施の形態では、携帯無線端末装置は携帯電話としたが、例えばＰＤＡ等の他の携帯無線端末装置にも適用することができる。
【００４１】
さらに、携帯無線端末装置１０の近距離無線通信は、Ｂｌｕｅｔｏｏｔｈ（登録商標）による通信としたが、これをＩｒＤＡ等の他の近距離無線通信に変更することも当然可能である。また、第２通信手段の行う通信は、上記実施例ではＵＳＢ接続によるものとしたが、これに限らず、ＩＥＥＥ１３９４の規格による通信や、無線によるものとすることもできる。
【００４２】
また、本実施の形態では、ＵＳＢ通信を仲介する中継制御回路３と切換えスイッチ７とは別個の要素としたが、ひとつのユニットとしての切換えスイッチを有する中継制御手段とすることも可能である。
【００４３】
さらに、本実施の形態においては、中継制御回路３に接続検出手段と通信切換え手段を制御する制御手段とを設けたが、これら接続検出手段および制御手段の機能をＣＰＵ１に実装することもできる。
【００４４】
上記実施の形態においては、携帯無線端末装置がその都度ユーザに選択を促すことで判断を求める構成としたが、例えばユーザの好みに従って各種設定を予めデフォルト設定しておき、いちいちユーザに判断を求めないような構成とすることもできる。
【００４５】
さらに、ＵＳＢ接続では、接続される側で、接続した機器を特定することが可能であるため、接続する各機器に対する動作をそれぞれの機器に応じて予め設定しておくこともできる。この場合、設定された機器が接続されると、ユーザにいちいち判断を求めることなく、予め設定した動作が自動的に行なわれるので、設定されていない機器が接続された場合には、第１実施の形態または第２実施の形態で説明したように、ユーザに動作を選択させるようにすればよい。
【図面の簡単な説明】
【００４６】
【図１】本発明の携帯無線端末装置の概略斜視図である。
【図２】図１の携帯無線端末装置の概略ブロック図である。
【図３】本発明の第１実施の形態の動作を説明するフローチャートである。
【図４】本発明の第２実施の形態の動作を説明するフローチャートである。
【図５】従来の携帯無線端末装置の概略ブロック図である。
【符号の説明】
【００４７】
１  ＣＰＵ
２  Ｂｌｕｅｔｏｏｔｈ（登録商標）モジュール
３  中継制御回路
４  アンテナ
５  データＩ／Ｏ
６  ＰＣ
７  切換スイッチ
８  表示手段
９  入力手段
１０  携帯無線端末装置
【図１】
0004651575.tif 000002
【図２】
0004651575.tif 000003
【図３】
0004651575.tif 000004
【図４】
0004651575.tif 000005
【図５】
0004651575.tif 000006